(57)【特許請求の範囲】
【請求項１】
一端に光を出射させる開放面を有し、内面に前記開放面に対して他端側に凹入する反射面が形成されるとともに、他端の中心部にランプアクセス孔が設けられたリフレクタ内に、光源ランプがその発光部を前記リフレクタの中心線上に位置させて配置され、前記光源ランプの発光部からの光を前記リフレクタの反射面により反射して前記リフレクタの開放面から出射する光源部を備え、
さらに、前記リフレクタの開放面に対向させて、出射方向補正手段と、その出射側に、棒状または筒状部材からなり、一端の入射端面から入射した光を導いて他端の出射端面から出射する導光ロッドが、その中心軸をリフレクタ中心線に一致させて配置されており、
前記リフレクタの反射面は、光源ランプの発光部の中心から前記リフレクタ中心線を含む面に沿って前記中心線よりも一方の側に出射した光を、前記導光ロッドの入射端面の中心よりも前記一方の側とは反対側にずれた位置に集光する方向に反射する曲率をもった曲線の前記中心線回りの回転面からなり、
出射方向補正手段は、前記光源ランプの発光部の中心から出射し、前記リフレクタの反射面により反射されて前記リフレクタの開放面から出射した光を、前記導光ロッドの入射端面の中心付近に集光する方向に屈折させて出射する特性を有していることを特徴とする光源装置。
【請求項２】
リフレクタの反射面は、前記リフレクタの開放面よりも前方に中心をもち、リフレクタ中心線を含む面上に光源ランプの発光部の中心を通り且つ前記リフレクタの開放面に向かってリフレクタ中心線に対し一方の方向に所定角度斜めにずれた方向に長軸を有する楕円のうち、前記リフレクタ中心線に対する前記長軸のずれ方向とは反対側の部分の曲線の回転面からなっていることを特徴とする請求項１に記載の光源装置。
【請求項３】
出射方向補正手段は、一方の面に円錐状凹レンズ面が形成された片円錐面レンズからなっていることを特徴とする請求項１に記載の光源装置。
【請求項４】
出射方向補正手段は、一方の面に円錐状凹レンズ面が形成され、他方の面に前記一方の面の円錐状凹レンズ面とは頂角が異なる円錐状凹レンズ面が形成された両円錐面レンズからなっていることを特徴とする請求項１に記載の光源装置。
【請求項５】
出射方向補正手段は、一方の面に円錐状凹レンズ面が形成され、他方の面に前記一方の面の円錐状凹レンズ面よりも頂角が大きい円錐状凸レンズ面が形成された円錐面メニスカスレンズからなっていることを特徴とする請求項１に記載の光源装置。
【請求項６】
リフレクタに、その開放面の前方の領域を囲む筒状カバーが設けられ、この筒状カバー内に、出射方向補正手段がその周縁を前記筒状カバーに支持されて配置されていることを特徴とする請求項１〜５のいずれかに記載の光源装置。
【請求項７】
プロジェクタケース内に、
一端に光を出射させる開放面を有し、内面に前記開放面に対して他端側に凹入する反射面が形成されるとともに、他端の中心部にランプアクセス孔が設けられたリフレクタ内に、光源ランプがその発光部を前記リフレクタの中心線上に位置させて配置され、前記光源ランプの発光部からの光を前記リフレクタの反射面により反射して前記リフレクタの開放面から出射する光源部を備え、さらに、前記リフレクタの開放面に対向させて、出射方向補正手段と、その出射側に、棒状または筒状部材からなり、一端の入射端面から入射した光を導いて他端の出射端面から出射する導光ロッドが、その中心軸をリフレクタ中心線に一致させて配置されており、前記リフレクタの反射面は、光源ランプの発光部の中心から前記リフレクタ中心線を含む面に沿って前記中心線よりも一方の側に出射した光を、前記導光ロッドの入射端面の中心よりも前記一方の側とは反対側にずれた位置に集光する方向に反射する曲率をもった曲線の前記中心線回りの回転面からなり、出射方向補正手段は、前記光源ランプの発光部の中心から出射し、前記リフレクタの反射面により反射されて前記リフレクタの開放面から出射した光を、前記導光ロッドの入射端面の中心付近に集光する方向に屈折させて出射する特性を有している光源装置と、
入射光の出射を制御して画像を表示する表示素子と、
前記光源装置からの出射光を前記表示素子に入射させる光学系と、
前記表示素子からの出射光を前記プロジェクタケース外に投影する投影レンズと、
を配置したことを特徴とするプロジェクタ。
【請求項８】
光源装置のリフレクタに、その開放面の前方の領域を囲む筒状カバーが設けられ、この筒状カバー内に、出射方向補正手段がその周縁を前記筒状カバーに支持されて配置されていることを特徴とする請求項７に記載のプロジェクタ。
【請求項９】
プロジェクタケースにその内部を空冷するための吸気部及び排気部が設けられ、前記プロジェクタケース内に給排気用のファンが配置されるとともに、光源装置の筒状カバーの出射方向補正手段よりもリフレクタ側の部分に、リフレクタ外の空気を前記リフレクタ内に流すための通風孔が設けられていることを特徴とする請求項８に記載のプロジェクタ。
【発明の詳細な説明】
【技術分野】
【０００１】
この発明は、光源装置及びそれを備えたプロジェクタに関する。
【背景技術】
【０００２】
例えば表示素子の表示画像を投影するプロジェクタ等に利用される光源装置は、リフレクタ内に光源ランプを配置した光源部を備えており、この種の光源装置では、前記光源ランプの発光部からの光を前記リフレクタの中心線上に集光する方向に出射するために、前記リフレクタの反射面を、リフレクタ中心線上に長軸を有する楕円球面に形成している（特許文献１参照）。
【特許文献１】特開２００３―１４９５９９号公報
【発明の開示】
【発明が解決しようとする課題】
【０００３】
しかし、従来の光源装置は、出射光の正面輝度、つまりリフレクタの中心線に沿った方向に出射する光の輝度が低いという問題をもっている。
【０００４】
すなわち、図１４は従来の光源装置の出射経路図であり、ここでは、光源部１の出射側に、前記光源部１から出射した光の強度分布を均一にするための導光ロッド９を配置した光源装置からの出射経路を示している。
【０００５】
この光源装置の光源部１は、一端に光を出射させる開放面３を有し、内面に前記開放面に対して他端側に凹入する反射面４が形成されるとともに、他端の中心部にランプアクセス孔５が設けられたリフレクタ２内に、光源ランプ６を、その発光部６ａを図に一点鎖線で示したリフレク中心線上に位置させて配置した構成となっており、前記導光ロッド９は、棒状または筒状部材からなっている。
【０００６】
そして、前記導光ロッド９は、その中心軸を前記リフレクタ中心線に一致させるとともに、一端の入射端面を前記リフレクタ２の開放面に対向させて配置されており、前記リフレクタ２の反射面４は、リフレク中心線上に長軸を有し、前記光源ランプ６の発光部６ａの中心Ｐから出射した光を前記導光ロッド９の入射端面の中心付近に集光する方向に反射する楕円球面からなっている。
【０００７】
この光源装置は、前記光源ランプ６の発光部６ａからの光を図に矢線で示したように前記リフレクタ２の楕円球面からなる反射面４によりリフレクタ中心線上に集光する方向に反射して前記リフレクタ２の開放面３から出射させるとともに、その光を前記導光ロッド９にその入射端面から入射させ、この導光ロッド９内を屈折させながら導いて、前記導光ロッド９の他端の出射端面から均一な強度分布の光として出射する。
【０００８】
なお、前記光源ランプ６は、内部に一対の棒状電極８ａ，８ｂがそれぞれの先端を近接対向させて設けられたガラスバルブ７内に、前記一対の棒状電極８ａ，８ｂの先端間に発生するアークにより発光する物質が封入されたショートアークランプであり、その発光部６ａは前記一対の棒状電極８ａ，８ｂの先端間の間隔に対応した長さをもっている。
【０００９】
したがって、前記光源ランプ６の発光部６ａから出射し、前記リフレクタ２の反射面４で反射されて前記リフレクタ２の開放面３から出射する光は図１４のようにある程度の広がり角をもった光であり、その光が前記導光ロッド９にその入射端面の全域から入射し、この導光ロッド９の出射端面の全域から出射する。
【００１０】
しかし、前記従来の光源装置は、前記リフレクタ２の反射面４が光源ランプ６の発光部６ａの中心Ｐから出射した光をリフレクタ中心線上に集光する方向に反射する楕円球面からなっているが、前記光源ランプ６の発光部６ａからの光のうち、前記リフレクタ２の開放面３とは反対側の中心部に設けられたランプアクセス孔５に向かう光は反射されないため、前記光源ランプ６の発光部６ａから出射し、前記リフレクタ２の反射面４で反射されて前記リフレクタ２の開放面３から出射する光は、図１４に示したように、リフレクタ中心線に沿う光成分をほとんど含まない光であり、したがって、前記リフレクタ２の開放面３から出射した光を前記導光ロッド９に通しても、この導光ロッド９からの出射光は、図１４に破線ハッチングを施した領域に出射する光の輝度が著しく低い光である。
【００１１】
この発明は、充分な正面輝度の光を出射することができる光源装置を提供するとともに、その光源装置を備えた、充分な明るさの画像を投影することができるプロジェクタを提供することを目的としたものである。
【課題を解決するための手段】
【００１２】
この発明の光源装置は、一端に光を出射させる開放面を有し、内面に前記開放面に対して他端側に凹入する反射面が形成されるとともに、他端の中心部にランプアクセス孔が設けられたリフレクタ内に、光源ランプがその発光部を前記リフレクタの中心線上に位置させて配置され、前記光源ランプの発光部からの光を前記リフレクタの反射面により反射して前記リフレクタの開放面から出射する光源部を備え、さらに、前記リフレクタの開放面に対向させて、出射方向補正手段と、その出射側に、棒状または筒状部材からなり、一端の入射端面から入射した光を導いて他端の出射端面から出射する導光ロッドが、その中心軸をリフレクタ中心線に一致させて配置されており、前記リフレクタの反射面は、光源ランプの発光部の中心から前記リフレクタ中心線を含む面に沿って前記中心線よりも一方の側に出射した光を、前記導光ロッドの入射端面の中心よりも前記一方の側とは反対側にずれた位置に集光する方向に反射する曲率をもった曲線の前記中心線回りの回転面からなり、出射方向補正手段は、前記光源ランプの発光部の中心から出射し、前記リフレクタの反射面により反射されて前記リフレクタの開放面から出射した光を、前記導光ロッドの入射端面の中心付近に集光する方向に屈折させて出射する特性を有していることを特徴とする。
【００１４】
また、前記リフレクタの反射面は、前記リフレクタの開放面よりも前方に中心をもち、前記リフレクタ中心線を含む面上に前記光源ランプの発光部の中心を通り且つ前記リフレクタの開放面に向かって前記リフレクタ中心線に対し一方の方向に所定角度斜めにずれた方向に長軸を有する楕円のうち、前記リフレクタ中心線に対する前記長軸のずれ方向とは反対側の部分の曲線の回転面に形成するのが好ましい。
【００１５】
この光源装置において、前記出射方向補正手段は、例えば一方の面に円錐状凹レンズ面が形成された片円錐面レンズが望ましい。
【００１６】
前記出射方向補正手段は、一方の面に円錐状凹レンズ面が形成され、他方の面に前記一方の面の円錐状凹レンズ面とは頂角が異なる円錐状凹レンズ面が形成された両円錐面レンズが好ましい。
【００１７】
前記出射方向補正手段は、一方の面に円錐状凹レンズ面が形成され、他方の面に前記一方の面の円錐状凹レンズ面よりも頂角が大きい円錐状凸レンズ面が形成された円錐面メニスカスレンズがより好ましい。
【００１８】
さらに、この光源装置においては、前記リフレクタに、その開放面の前方の領域を囲む筒状カバーを設け、この筒状カバー内に、前記出射方向補正手段をその周縁を前記筒状カバーに支持させて配置するのが望ましい。
【００１９】
また、この発明のプロジェクタは、プロジェクタケース内に、一端に光を出射させる開放面を有し、内面に前記開放面に対して他端側に凹入する反射面が形成されるとともに、他端の中心部にランプアクセス孔が設けられたリフレクタ内に、光源ランプがその発光部を前記リフレクタの中心線上に位置させて配置され、前記光源ランプの発光部からの光を前記リフレクタの反射面により反射して前記リフレクタの開放面から出射する光源部を備え、さらに、前記リフレクタの開放面に対向させて、出射方向補正手段と、その出射側に、棒状または筒状部材からなり、一端の入射端面から入射した光を導いて他端の出射端面から出射する導光ロッドが、その中心軸をリフレクタ中心線に一致させて配置されており、前記リフレクタの反射面は、光源ランプの発光部の中心から前記リフレクタ中心線を含む面に沿って前記中心線よりも一方の側に出射した光を、前記導光ロッドの入射端面の中心よりも前記一方の側とは反対側にずれた位置に集光する方向に反射する曲率をもった曲線の前記中心線回りの回転面からなり、出射方向補正手段は、前記光源ランプの発光部の中心から出射し、前記リフレクタの反射面により反射されて前記リフレクタの開放面から出射した光を、前記導光ロッドの入射端面の中心付近に集光する方向に屈折させて出射する特性を有している光源装置と、入射光の出射を制御して画像を表示する表示素子と、前記光源装置からの出射光を前記表示素子に入射させる光学系と、前記表示素子からの出射光を前記プロジェクタケース外に投影する投影レンズと、を配置したことを特徴とする。
【００２１】
また、このプロジェクタにおいては、前記光源装置のリフレクタに、その開放面の前方の領域を囲む筒状カバーを設け、この筒状カバー内に、前記出射方向補正手段をその周縁を前記筒状カバーに支持させて配置するのが好ましい。
【００２２】
さらに、このプロジェクタにおいては、前記プロジェクタケースにその内部を空冷するための吸気部及び排気部を設け、前記プロジェクタケース内に給排気用のファンを配置するとともに、前記光源装置の筒状カバーの出射方向補正手段よりもリフレクタ側の部分に、リフレクタ外の空気を前記リフレクタ内に流すための通風孔を設けるのが望ましい。
【発明の効果】
【００２３】
この発明の光源装置は、一端に光を出射させる開放面を有し、内面に前記開放面に対して他端側に凹入する反射面が形成されるとともに、他端の中心部にランプアクセス孔が設けられたリフレクタ内に、光源ランプがその発光部を前記リフレクタの中心線上に位置させて配置され、前記光源ランプの発光部からの光を前記リフレクタの反射面により反射して前記リフレクタの開放面から出射する光源部を備え、さらに、前記リフレクタの開放面に対向させて、出射方向補正手段と、その出射側に、棒状または筒状部材からなり、一端の入射端面から入射した光を導いて他端の出射端面から出射する導光ロッドが、その中心軸をリフレクタ中心線に一致させて配置されており、前記リフレクタの反射面は、光源ランプの発光部の中心から前記リフレクタ中心線を含む面に沿って前記中心線よりも一方の側に出射した光を、前記導光ロッドの入射端面の中心よりも前記一方の側とは反対側にずれた位置に集光する方向に反射する曲率をもった曲線の前記中心線回りの回転面からなり、出射方向補正手段は、前記光源ランプの発光部の中心から出射し、前記リフレクタの反射面により反射されて前記リフレクタの開放面から出射した光を、前記導光ロッドの入射端面の中心付近に集光する方向に屈折させて出射する特性を有しているため、前記光源ランプの発光部からの光のうち前記リフレクタの開放面とは反対側の中心部に設けられたランプアクセス孔に向かう光が反射されなくても、充分な正面輝度の光を出射することができる。
【００２５】
また、前記リフレクタの反射面は、前記リフレクタの開放面よりも前方に中心をもち、前記リフレクタ中心線を含む面上に前記光源ランプの発光部の中心を通り且つ前記リフレクタの開放面に向かって前記リフレクタ中心線に対し一方の方向に所定角度斜めにずれた方向に長軸を有する楕円のうち、前記リフレクタ中心線に対する前記長軸のずれ方向とは反対側の部分の曲線の回転面に形成するのが好ましく、このようにすることにより、より充分な正面輝度の光を出射することができる。
【００２６】
この光源装置において、前記出射方向補正手段は、例えば一方の面に円錐状凹レンズ面が形成された片円錐面レンズが望ましく、この円錐面レンズを用いることにより、前記リフレクタの開放面から出射した光をリフレクタ中心線上に集光する方向に屈折させて、充分な正面輝度の光を出射するとともに、前記リフレクタの開放面から出射した光のうち、前記出射方向補正手段により反射されて前記リフレクタ内に戻った光による光源ランプの昇温を低くし、前記光源ランプの過熱を抑制することができる。
【００２７】
前記出射方向補正手段は、一方の面に円錐状凹レンズ面が形成され、他方の面に前記一方の面の円錐状凹レンズ面とは頂角が異なる円錐状凹レンズ面が形成された両円錐面レンズが好ましく、この両円錐面レンズを用いることにより、前記リフレクタの開放面から出射した光をリフレクタ中心線上に集光する方向に屈折させて、充分な正面輝度の光を出射するとともに、前記リフレクタの開放面から出射した光のうち、前記出射方向補正手段により反射されて前記リフレクタ内に戻った光による光源ランプの昇温をほとんど無くし、前記光源ランプの過熱をより効果的に抑制することができる。
【００２８】
前記出射方向補正手段は、一方の面に円錐状凹レンズ面が形成され、他方の面に前記一方の面の円錐状凹レンズ面よりも頂角が大きい円錐状凸レンズ面が形成された円錐面メニスカスレンズがより好ましく、この円錐面メニスカスレンズを用いることにより、前記リフレクタの開放面から出射した光を小さい偏角差でリフレクタ中心線上に集光する方向に屈折させて、正面輝度が充分で且つレンズ収差の小さい光を出射するとともに、前記リフレクタの開放面から出射した光のうち、前記出射方向補正手段により反射されて前記リフレクタ内に戻った光による光源ランプの昇温をほとんど無くし、前記光源ランプの過熱をより効果的に抑制することができる。
【００２９】
さらに、この光源装置においては、前記リフレクタに、その開放面の前方の領域を囲む筒状カバーを設け、この筒状カバー内に、前記出射方向補正手段をその周縁を前記筒状カバーに支持させて配置するのが望ましく、このようにすることにより、前記光源ランプが万一爆発したときのリフレクタ外へのランプ破片の飛散を前記筒状カバー及び出射方向補正手段により防止することができる。
【００３０】
また、この発明のプロジェクタは、プロジェクタケース内に、一端に光を出射させる開放面を有し、内面に前記開放面に対して他端側に凹入する反射面が形成されるとともに、他端の中心部にランプアクセス孔が設けられたリフレクタ内に、光源ランプがその発光部を前記リフレクタの中心線上に位置させて配置され、前記光源ランプの発光部からの光を前記リフレクタの反射面により反射して前記リフレクタの開放面から出射する光源部を備え、さらに、前記リフレクタの開放面に対向させて、出射方向補正手段と、その出射側に、棒状または筒状部材からなり、一端の入射端面から入射した光を導いて他端の出射端面から出射する導光ロッドが、その中心軸をリフレクタ中心線に一致させて配置されており、前記リフレクタの反射面は、光源ランプの発光部の中心から前記リフレクタ中心線を含む面に沿って前記中心線よりも一方の側に出射した光を、前記導光ロッドの入射端面の中心よりも前記一方の側とは反対側にずれた位置に集光する方向に反射する曲率をもった曲線の前記中心線回りの回転面からなり、出射方向補正手段は、前記光源ランプの発光部の中心から出射し、前記リフレクタの反射面により反射されて前記リフレクタの開放面から出射した光を、前記導光ロッドの入射端面の中心付近に集光する方向に屈折させて出射する特性を有している光源装置と、入射光の出射を制御して画像を表示する表示素子と、前記光源装置からの出射光を前記表示素子に入射させる光学系と、前記表示素子からの出射光を前記プロジェクタケース外に投影する投影レンズとを配置したものであるため、前記光源装置から充分な正面輝度の光を出射させてその光を前記表示素子に入射させることができ、したがって、前記液晶素子に高輝度の画像を表示させ、充分な明るさの画像を投影することができる。
さらに、前記リフレクタの開放面から出射した光の輝度を前記導光ロッドにより均一にし、正面輝度が充分で且つ輝度分布の均一な光を出射することができる。
【００３２】
また、このプロジェクタにおいては、前記光源装置のリフレクタに、その開放面の前方の領域を囲む筒状カバーを設け、この筒状カバー内に、前記出射方向補正手段をその周縁を前記筒状カバーに支持させて配置するのが好ましく、このようにすることにより、前記光源装置の光源ランプが万一爆発したときのプロジェクタケース内へのランプ破片の飛散を前記筒状カバー及び出射方向補正手段により防止し、プロジェクタケース内に配置された他の機器類を保護することができる。
【００３３】
さらに、このプロジェクタにおいては、前記プロジェクタケースにその内部を空冷するための吸気部及び排気部を設け、前記プロジェクタケース内に給排気用のファンを配置するとともに、前記光源装置の筒状カバーの出射方向補正手段よりもリフレクタ側の部分に、リフレクタ外の空気を前記リフレクタ内に流すための通風孔を設けるのが望ましく、このようにすることにより、前記リフレクタ内の空間及び光源ランプを、前記プロジェクタケース内の空冷用空気を利用して空冷することができる。
【発明を実施するための最良の形態】
【００３４】
図１〜図１０はこの発明の一実施例を示しており、図１及び図２はプロジェクタの使用状態及び不使用状態の外観斜視図、図３は前記プロジェクタの横断平面図、図４は図３のIV―IV線に沿う断面図、図５は前記プロジェクタに用いた光源装置の断面図である。
【００３５】
この実施例のプロジェクタは、図１〜図４に示したように、平面形状が矩形状をなすプロジェクタケース１０内に、図５に示した光源装置と、複数の画素が行方向及び列方向にマトリックス状に配列した表示エリアを有し、前記複数の画素に入射した光の出射を制御して画像を表示する表示素子５０と、前記光源装置からの出射光を前記表示素子５０に入射させる光源側光学系５４と、前記表示素子５０からの出射光をプロジェクタケース１０外の図示しない外部スクリーン等の投影面に投影する投影レンズ６６とを配置したものである。
【００３６】
前記プロジェクタケース１０は、その両側面及び後面と底面とを構成するケース本体１０ａと、上面パネル１０ｂと、前面パネル１０ｃとからなっており、その後面に、パソコン用のＵＳＢ端子及びカラー画像信号と音声信号の入力端子と、ビデオ信号入力端子と、電源コネクタ（いずれも図示せず）が設けられている。
【００３７】
また、前記プロジェクタケース１０の上面には、電源キー１１と、光源点灯インジケータ１２及び光源過熱インジケータ１３と、自動画質調整キー１４及び手動画質調整キー１５と、前記電源コネクタを商用電源に接続したスタンバイ状態と前記電源キー１１をオンさせたときとで点灯色が変化するパワー／スタンバイインジケータ１６と、開閉蓋１７を開いて操作される各種調整キー（図示せず）と、スピーカ用放音部１８が設けられ、前面に、図示しないリモコン器からの赤外線信号を受けるリモコン受信部１９が設けられている。
【００３８】
また、前記プロジェクタケース１０の前面の一側部には、開閉可能な投影レンズカバー２１を備えた投影口２０が設けられている。なお、前記投影レンズカバー２１の中央部には開口が形成されており、その開口に例えば赤色の半透明板２２が設けられている。
【００３９】
さらに、前記プロジェクタケース１０の底面には、その後側領域の両側部に配置された左右一対の後足部材２３ａと、前側領域の中央部付近にケース前縁部よりもある程度後方にずらして配置された１つの前足部材２３ｂが設けられている。
【００４０】
この後足部材２３ａ及び前足部材２３ｂは、プロジェクタの使用時（投影時）に、前記プロジェクタケース１０を、その前面側を高くした斜め上向き状態に支持するものであり、一対の後足部材２３ａは、プロジェクタケース１０の底部に螺合された図示しないねじ脚の下端に固定されており、前足部材２３ｂは、前記プロジェクタケース１０内に設けられた図示しない脚ロック機構に上下方向にスライド可能に保持されたロッド脚２４の下端に固定され、ケース底面からの突出高さを調整可能に設けられている。
【００４１】
なお、前記脚ロック機構は、プロジェクタケース１０の前面に設けられたロック解除つまみ２５の押し下げにより前記ロッド脚２４のロックを解除し、前記ロック解除つまみ２５の押し下げが解除されたときにばね力により自動的に前記ロッド脚２４をロックする構成となっており、プロジェクタケース１０は、プロジェクタの使用時に、前記ロック解除つまみ２５を押し下げて前記ロッド脚２４を前足部材２３ｂとともに自重により自由に下降できるようにし、その状態でプロジェクタケース１０の前側を持ち上げて投影レンズ６６による投影方向を投影面に合わせた後に、前記ロック解除つまみ２５の押し下げを解除して前記ロッド脚２４をロックすることにより、前記斜め上向き状態に支持される。
【００４２】
次に、前記プロジェクタケース１０内に配置された光源装置について説明すると、この光源装置は、図５に示したように、リフレクタ２７内に光源ランプ３１を配置した光源部２６を備え、前記リフレクタ２７の開放面２８に対向させて出射方向補正手段３８を配置するとともに、この出射方向補正手段３８の出射側に、前記リフレクタ２７の開放面２８から出射した光の強度分布を均一にするための導光ロッド４９を配置したものである。
【００４３】
前記光源部２６は、一端に光を出射させる開放面２８を有し、内面に前記開放面２８に対して他端側に凹入する反射面２９が形成されるとともに、他端の中心部にランプアクセス孔３０が設けられたリフレクタ２７内に、光源ランプ３１をその発光部３１ａを前記リフレクタ２７の中心線Ｏ上に位置させて配置したものであり、前記光源ランプ３１の発光部３１ａからの光を前記リフレクタ２７の反射面２９により反射して前記リフレクタ２７の開放面２８から出射する。
【００４４】
なお、前記光源ランプ３１は、内部に一対の棒状電極３３ａ，３３ｂがそれぞれの先端を近接対向させて設けられたガラスバルブ３２内に、前記一対の棒状電極３３ａ，３３ｂの先端間に発生するアークにより発光する物質が封入された高圧水銀ランプ等のショートアークランプであり、その発光部３１ａは前記一対の棒状電極３３ａ，３３ｂの先端間の間隔に対応した長さをもっている。
【００４５】
この光源ランプ３１は、そのガラスバルブ３２の一端側をリフレクタ２７のランプアクセス孔３０に挿通して前記リフレクタ２７内に配置され、その発光部３１ａの中心Ｐａをリフレクタ中心線Ｏ上の所定位置に合わせた状態で、前記ランプアクセス孔３０の外端に装着されたキャップ３４にランプ固定樹脂３５を介して支持されている。
【００４６】
なお、この光源ランプ３１の一対の棒状電極３３ａ，３３ｂの基端は前記ガラスバルブ３２の両端から突出しており、その基端にそれぞれリード線３６ａ，３６ｂが接続されるとともに、これらの棒状電極３３ａ，３３ｂのうち、リフレクタ２７内に基端が位置する棒状電極３３ｂに接続されたリード線３６ｂは、前記リフレクタ２７に設けられたリード挿通孔３７を通してリフレクタ２７外に引き出されている。
【００４７】
そして、前記リフレクタ２７の反射面２９は、前記光源ランプ３１の発光部３１ａの中心Ｐａからリフレクタ中心線Ｏを含む面（リフレクタ中心線Ｏに沿う断面）に沿って前記中心線Ｏよりも一方の側に出射した光を、前記中心線Ｏに対して前記一方の側とは反対側にずれた位置に集光する方向に反射する曲率をもった曲線の前記中心線回りの回転面に形成されている。
【００４８】
また、前記リフレクタ２７の開放面に対向させて配置された出射方向補正手段３８は、前記光源ランプ３１の発光部３１ａから出射し、前記リフレクタ２７の反射面２９により反射されてこのリフレクタ２７の開放面２８から出射した光を、リフレクタ中心線Ｏ上に集光する方向に屈折させて出射する特性を有している。
【００４９】
さらに、前記出射方向補正手段３８の出射側に配置された導光ロッド４９は、透明な棒状部材または内周面に反射膜を形成した筒状部材からなっており、その一端の入射端面４９ａから入射した光を、前記棒状部材の外周面または前記筒状部材の内周面で反射して屈折させながら導いてその光の輝度分布を均一にし、その光を他端の出射端面４９ｂから出射する。
【００５０】
この導光ロッド４９は、前記リフレクタ２７の開放面２８の前方に、ロッド中心軸を前記リフレクタ中心線Ｏに一致させるとともに、前記入射端面４９ａを前記リフレクタ２７の開放面２８に対向させて配置されている。
【００５１】
そして、前記リフレクタ２７の反射面２９は、前記光源ランプ３１の発光部３１ａの中心Ｐａから前記リフレクタ中心線Ｏを含む面に沿って前記中心線Ｏよりも一方の側に出射した光を前記導光ロッド４９の入射端面４９ａの中心よりも前記一方の側とは反対側にずれた位置に集光する方向に反射する曲率をもった曲線の前記中心線回りの回転面に形成されており、前記出射方向補正手段３８は、前記光源ランプ３１の発光部３１ａの中心Ｐａから出射し、前記リフレクタ２７の反射面２９により反射されて前記リフレクタ２７の開放面から出射した光を、前記導光ロッド４９の入射端面４９ａの中心付近に集光する方向に屈折させて出射する特性を有している。
【００５２】
この実施例では、前記リフレクタ２７の反射面２９を、前記リフレクタ２７の開放面２８よりも前方に中心をもち、前記リフレクタ中心線Ｏを含む面上に光源ランプ３１の発光部３１ａの中心Ｐａを通り且つ前記リフレクタ２７の開放面２８に向かってリフレクタ中心線Ｏに対し一方の方向に所定角度斜めにずれた方向に長軸を有する楕円のうち、前記リフレクタ中心線Ｏに対する前記長軸Ｏａのずれ方向（光源ランプ３１の発光部３１ａよりもリフレクタ２７の開放面２８側におけるずれ方向）とは反対側の部分の曲線の回転面に形成している。
【００５３】
図６は前記リフレクタ２７の反射面２９の模式図であり、リフレクタ中心線Ｏを含む面（図の紙面）上におけるリフレクタ中心線Ｏに対して一方の側、例えば図において上側の反射面２９ａは、前記リフレクタ中心線Ｏを含む面上に光源ランプ３１の発光部３１ａの中心Ｐａを通り且つ前記リフレクタ２７の開放面２８に向かってリフレクタ中心線Ｏに対し図において下方向に所定角度θ斜めにずれた方向に長軸Ｏａを有する楕円Ａのうち、前記リフレクタ中心線Ｏに対する前記長軸Ｏａのずれ方向とは反対側、つまり図において上側の部分からなっており、リフレクタ中心線Ｏに対して他方の側、つまり図において下側の反射面２９ｂは、前記リフレクタ中心線Ｏを含む面上に光源ランプ３１の発光部３１ａの中心Ｐａを通り且つ前記リフレクタ中心線Ｏに対し図において上方向に前記所定角度θ斜めにずれた方向に長軸Ｏｂを有する楕円Ｂのうち、前記リフレクタ中心線Ｏに対する前記長軸Ｏｂのずれ方向とは反対側、つまり図において上側の部分からなっている。
【００５４】
すなわち、前記リフレクタ２７のリフレクタ中心線Ｏを含む面上における前記中心線Ｏに対して一方の側の反射面２９ａは、光源ランプ３１の発光部３１ａの中心Ｐａからこの反射面２９ａに向かって出射した光を図６に矢線で示したように前記導光ロッド４９の入射端面４９ａの中心よりも前記一方の側とは反対側にずれた位置に集光する方向に反射する曲率をもっており、前記中心線Ｏに対して他方の側の反射面２９ｂは、光源ランプ３１の発光部３１ａの中心Ｐａからこの反射面２９ｂに向かって出射した光を図６に矢線で示したように前記導光ロッド４９の入射端面４９ａの中心よりも前記他方の側とは反対側にずれた位置に集光する方向に反射する曲率をもっている。
【００５５】
なお、図６において、Ｆａは前記リフレクタ２７の一方の側の反射面２９ａの焦点、Ｆｂは前記リフレクタ２７の他方の側の反射面２９ｂの焦点を示しており、この実施例では、前記反射面２９ａ，１３ｂを、前記導光ロッド４９の入射端面４９ａの延長面付近で且つ前記入射端面４９ａの外側に僅かにずれた位置に焦点Ｆａ，Ｆｂを有する曲率をもった楕円面としている。
【００５６】
また、前記リフレクタ２７の開放面２８に対向させて配置された出射方向補正手段３８は、一方の面に円錐面からなる円錐状凹レンズ面４０が形成され、他方の面は平坦面に形成された片円錐面レンズ３９からなっている。
【００５７】
そして、この実施例では、前記リフレクタ２７に、その開放面２８の前方の領域を囲む筒状カバー４７を設け、この筒状カバー４７内に、前記片円錐面レンズ３９からなる出射方向補正手段３８を、前記片円錐面レンズ３９の平坦面を前記リフレクタ２７の開放面２８に対向させるとともにその周縁を前記筒状カバー４７に支持させて配置している。
【００５８】
また、この実施例では、前記筒状カバー４７の出射方向補正手段３８よりもリフレクタ２７側の部分に、リフレクタ２７外の空気を前記リフレクタ２７内に流すための一対の通風孔４８ａ，４８ｂを設けている。
【００５９】
この光源装置は、一端に光を出射させる開放面２８を有し、内面に前記開放面２８に対して他端側に凹入する反射面２９が形成されるとともに、他端の中心部にランプアクセス孔３０が設けられたリフレクタ２７内に、光源ランプ３１をその発光部３１ａを前記リフレクタ２７の中心線Ｏ上に位置させて配置した光源部２６を備えたものであるが、前記リフレクタ２７の反射面２９を、前記光源ランプ３１の発光部３１ａの中心Ｐａからリフレクタ中心線Ｏを含む面に沿って前記中心線Ｏよりも一方の側に出射した光を、前記中心線Ｏに対して前記一方の側とは反対側にずれた位置に集光する方向に反射する曲率をもった曲線の前記中心線回りの回転面に形成するとともに、前記リフレクタ２７の開放面２８に対向させて、前記光源ランプ３１の発光部３１ａから出射し、前記リフレクタ２７の反射面２９により反射されて前記リフレクタ２７の開放面２８から出射した光を、前記リフレクタ中心線Ｏ上に集光する方向に屈折させて出射する出射方向補正手段を配置しているため、前記光源ランプ３１の発光部３１ａからの光のうち前記リフレクタ２７の開放面２８とは反対側の中心部に設けられたランプアクセス孔３０に向かう光が反射されなくても、充分な正面輝度の光を出射することができる。
【００６０】
しかも、この実施例では、前記出射方向補正手段３８の出射側に、棒状または筒状部材からなり、一端の入射端面４９ａから入射した光を導いて他端の出射端面４９ｂから出射する導光ロッド４９を、その中心軸をリフレクタ中心線Ｏに一致させるとともに前記入射端面４９ａを前記リフレクタ２７の開放面２８に対向させて配置し、前記リフレクタ２７の反射面２９を、前記光源ランプ３１の発光部３１ａの中心Ｐａから前記リフレクタ中心線Ｏを含む面に沿って前記中心線Ｏよりも一方の側に出射した光を、前記導光ロッド４９の入射端面４９ａの中心よりも前記一方の側とは反対側にずれた位置に集光する方向に反射する曲率をもった曲線の前記中心線回りの回転面に形成し、前記出射方向補正手段３８に、前記光源ランプ３１の発光部３１ａの中心Ｐａから出射し、前記リフレクタ２７の反射面２９により反射されて前記リフレクタ２７の開放面２８から出射した光を、前記導光ロッド４９の入射端面４９ａの中心付近に集光する方向に屈折させて出射する特性をもたせているため、前記リフレクタ２７の開放面２８から出射した光の輝度を前記導光ロッド４９により均一にし、正面輝度が充分で且つ輝度分布の均一な光を出射することができる。
【００６１】
さらに、上記実施例では、前記リフレクタ２７の反射面２９を、前記リフレクタ２７の開放面２８よりも前方に中心をもち、前記リフレクタ中心線Ｏを含む面上に前記光源ランプ３１の発光部３１ａの中心Ｐａを通り且つ前記リフレクタ２７の開放面２８に向かって前記リフレクタ中心線Ｏに対し一方の方向に所定角度斜めにずれた方向に長軸を有する楕円のうち、前記リフレクタ中心線Ｏに対する前記長軸のずれ方向とは反対側の部分の曲線の回転面に形成しているため、より充分な正面輝度の光を出射することができる。
【００６２】
すなわち、図７は前記光源装置の出射経路図であり、この光源装置では、前記光源ランプ３１の発光部３１ａの中心Ｐａから前記リフレクタ２７の反射面２９に向かって出射した光のうち、リフレクタ中心線Ｏを含む面に沿って前記中心線Ｏよりも一方の側、例えば図において上側に向かう光が、その側の反射面２９により、図に鎖線ａで示した方向、つまり前記導光ロッド４９の入射端面４９ａの中心よりも前記一方の側とは反対側（図において下側）にずれた位置に集光する方向に反射されて前記リフレクタ２７の開放面２８から出射し、その光が前記出射方向補正手段３８により屈折されて前記導光ロッド４９の入射端面４９ａの中心付近に入射し、前記リフレクタ中心線Ｏよりも他方の側、つまり図において下側に向かう光が、その側の反射面２９により、図に鎖線ｂで示した方向、つまり前記導光ロッド４９の入射端面４９ａの中心よりも前記他方の側とは反対側（図において上側）にずれた位置に集光する方向に反射されて前記リフレクタ２７の開放面２８から出射し、その光が前記出射方向補正手段３８により屈折されて前記導光ロッド４９の入射端面４９ａの中心付近に入射する。
【００６３】
そして、前記導光ロッド４９にその入射端面４９ａから入射した光は、この導光ロッド４９内を屈折しながら導かれ、輝度分布が均一な光となって前記導光ロッド４９の出射端面４９ｂから出射する。
【００６４】
なお、前記光源ランプ３１の発光部３１ａは一対の棒状電極３３ａ，３３ｂの先端間の間隔に対応した長さをもっているため、この光源ランプ３１の発光部３１ａから出射し、前記リフレクタ２７の反射面２９で反射されて前記リフレクタ２７の開放面２８から出射する光は図３のようにある程度の広がり角をもった光であり、その光が前記導光ロッド４９にその入射端面４９ａの全域から入射し、この導光ロッド４９の出射端面４９ｂの全域から出射する。
【００６５】
そのため、前記光源装置からの出射光は、前記リフレクタ中心線Ｏに沿う光成分を充分に含み、さらに前記導光ロッド４９により輝度分布を均一にされた光であり、したがって、この光源装置によれば、正面輝度が充分で且つ輝度分布の均一な光を出射することができる。
【００６６】
図８は上記実施例の光源装置と図１４に示した従来の光源装置の導光ロッドの出射端面の中心から出射した光の光軸方向に沿った断面上の輝度分布を示しており、従来の光源装置からの出射光は、図８（ｂ）のようにリフレクタ中心線に沿う光成分をほとんど含まない正面輝度が著しく低い光であるが、上記実施例の光源装置からの出射光は、図８（ａ）のように、リフレクタ中心線Ｏに沿う光成分を充分に含む、充分な正面輝度の光である。
【００６７】
しかも、上記実施例の光源装置は、前記リフレクタ２７の開放面２８に対向させて配置する出射方向補正手段３８として、一方の面に円錐状凹レンズ面４０が形成された片円錐面レンズ３９を用いているため、前記リフレクタ２７の開放面２８から出射した光をリフレクタ中心線Ｏ上に集光する方向に屈折させて、充分な正面輝度の光を出射するとともに、前記リフレクタ２７の開放面２８から出射した光のうち、前記出射方向補正手段３８により反射されて前記リフレクタ２７内に戻った光による光源ランプ３１の昇温を低くし、前記光源ランプ３１の過熱を抑制することができる。
【００６８】
すなわち、図９及び図１０は前記リフレクタ２７の開放面２８から出射した光のうちの前記出射方向補正手段３８により反射された戻り光の経路図であり、図９は前記出射方向補正手段３８の入射面で反射された戻り光の経路を示し、図１０は前記出射方向補正手段３８の出射面で反射された戻り光の経路を示している。
【００６９】
上記実施例の光源装置は、前記出射方向補正手段３８として、一方の面に円錐状凹レンズ面４０が形成され、他方の面は平坦面に形成された片円錐面レンズ３９を用いているため、前記リフレクタ２７の開放面２８から出射して前記片円錐面レンズ３９に入射した光のうち、一部の光が図９及び図１０に破矢線で示したように前記片円錐面レンズ３９のリフレクタ２７の開放面２８に対向する入射面及びその反対側の出射面で反射されて前記リフレクタ２７内に戻る。
【００７０】
そして、上記実施例では、前記片円錐面レンズ３９を、その平坦面を前記リフレクタ２７の開放面２８に対向させて配置しているため、前記リフレクタ２７の開放面２８から出射して前記片円錐面レンズ３９の入射面及び出射面で反射された戻り光のうち、前記片円錐面レンズ３９の平坦面からなる入射面で反射された戻り光は図９のように光源ランプ３１に集光するが、前記片円錐面レンズ３９の円錐状凹レンズ面４０からなる出射面で反射された戻り光は、図１０のように前記リフレクタ２７の反射面２９で反射されて光源ランプ３１からずれた位置に集光する。
【００７１】
そのため、前記リフレクタ２７の開放面２８から出射して前記片円錐面レンズ３９により反射された戻り光による光源ランプ３１の昇温は、前記片円錐面レンズ３９の入射面（平坦面）で反射されて光源ランプ３１に集光した戻り光による昇温だけであり、したがって、前記戻り光による光源ランプ３１の昇温を低くし、前記光源ランプ３１の過熱を抑制することができる。
【００７２】
さらに、上記実施例の光源装置は、前記リフレクタ２７に、その開放面の前方の領域を囲む筒状カバー４７を設け、この筒状カバー４７内に、前記出射方向補正手段３８をその周縁を前記筒状カバー４７に支持させて配置しているため、光源ランプ３１が万一爆発したときのリフレクタ２７外へのランプ破片の飛散を前記筒状カバー４７及び出射方向補正手段３８により防止することができる。
【００７３】
また、この実施例では、前記筒状カバー４７の出射方向補正手段３８よりもリフレクタ２７側の部分に、リフレクタ２７外の空気を前記リフレクタ２７内に流すための一対の通風孔４８ａ，４８ｂを設けているため、リフレクタ２７内を空冷し、光源ランプ３１の昇温を低く抑えることができる。
【００７４】
次に、前記プロジェクタケース１０内に配置された表示素子５０について説明すると、この表示素子５０は、カラーフィルタのような入射光を着色する手段を備えない表示素子であり、この実施例では、一般にＤＭＤと略称されるマイクロミラー表示素子（Digital Micromirror Device）を用いている。以下、この表示素子５０をマイクロミラー表示素子と言う。
【００７５】
前記マイクロミラー表示素子５０は、その構成は図示しないが、１つ１つの画素をそれぞれ、ＣＭＯＳをベースとするミラー駆動素子によって一方の傾き方向と他方の傾き方向とに傾動されるマイクロミラーにより形成したものであり、これらのマイクロミラーは、縦横の幅が１０μｍ〜２０μｍの極薄金属片（例えばアルミニウム片）からなっている。
【００７６】
このマイクロミラー表示素子５０は、その正面方向に対して一方向に傾いた入射方向から所定の角度範囲の入射角で入射した光を、前記複数のマイクロミラーの傾き方向の切換えにより前記正面方向と斜め方向とに反射して画像を表示するものであり、一方の傾き方向に傾動されたマイクロミラーに入射した光をこのマイクロミラーにより正面方向に反射し、他方の傾き方向に傾動されたマイクロミラーに入射した光をこのマイクロミラーにより斜め方向に反射し、正面方向への反射による明表示と、斜め方向への反射による暗表示とにより画像を表示する。
【００７７】
なお、前記明表示の明るさは、前記マイクロミラーを前記一方の傾き方向（入射光を正面方向に反射させる傾き方向）に傾けておく時間を制御することによって任意に変化させることができ、したがって、前記マイクロミラー表示素子５０に、明るさに階調をもたせた画像を表示させることができる。
【００７８】
前記マイクロミラー表示素子５０は、図３に示したように、前記プロジェクタケース１０内の後部領域の一側部に、その正面方向を前記プロジェクタケース１０の前面の一側部に設けられた投影口２０に対向させて配置されている。
【００７９】
そして、この実施例では、前記マイクロミラー表示素子５０にカラー画像を表示させるために、前記プロジェクタケース１０内に前記光源装置からの出射光を赤、緑、青の３色に順次着色するためのカラーホイール５１を配置している。
【００８０】
前記カラーホイール５１は、扇状の赤、緑、青の３色のカラーフィルタ５２Ｒ，５２Ｇ，５２Ｂが周方向に並べて設けられた回転板からなっており、例えば前記光源装置の導光ロッド４９の入射側に、カラーホイール５１の一側部が前記導光ロッド４９への入射光の光路を横切るように配置され、その中心を前記導光ロッド４９の側方に配置されたカラーホイール回転モータ５３の回転軸に固定されている。
【００８１】
このカラーホイール５１は、前記モータ５３により、前記３色のカラーフィルタ５２Ｒ，５２Ｇ，５２Ｂが前記導光ロッド４９への入射光の光路を順次横切るように高速で回転駆動される。
【００８２】
また、前記光源装置からの出射光を前記マイクロミラー表示素子５０に入射させる光源側光学系５４は、図３及び図４に示したように、前記導光ロッド４９からの出射光を前記マイクロミラー表示素子５０の前面に向けて投射する前後２つの光源側レンズ５５，５６及びミラー５７とからなっている。
【００８３】
前記光源側レンズ５５，５６は、前記導光ロッド４９の出射側に配置されたレンズ支持筒５８内に、レンズ中心を前記光源装置のリフレクタ中心線Ｏの延長線、つまり前記光源装置からの出射光の光軸に一致させて配置されている。
【００８４】
そして、この実施例では、前記レンズ支持筒５８の入射側に、前記カラーホイール回転モータ５３の配置部に対応する側部が切欠された筒状の導光ロッド支持部を形成し、この導光ロッド支持部に前記光源装置の導光ロッド４９を支持させている。
【００８５】
前記光源装置の光源部２６のリフレクタ２７と、前記カラーホイール回転モータ５３と、前記光源側レンズ５５，５６及び光源装置の導光ロッド４９を支持したレンズ支持筒５８は、両端が開放する光源側ハウジング５９内に所定の位置関係で固定されている。
【００８６】
そして、前記光源側ハウジング５９は、図３及び図４に示したように、前記プロジェクタケース１０内の前後方向における中央部から後側の領域に、前記プロジェクタケース１０の両側面のうち、前記マイクロミラー表示素子５０の配置側とは反対側の側面に前記光源装置の配置側を向け、前記レンズ支持筒５８の出射端を前記マイクロミラー表示素子５０の正面方向の領域に対向させるとともに、前記光源装置からの出射光の光軸を、前記マイクロミラー表示素子５０の正面方向に対して略直交させて設置されている。
【００８７】
また、前記光源側光学系５４のミラー５７は、平面鏡からなっており、このミラー５７は、一側面と後面及び前面に開口６１，６２，６３を有し、前記一側面の開口６１内に前記レンズ支持筒５８の出射端を挿入するとともに後面の開口６２を前記マイクロミラー表示素子５０に対向させて前記プロジェクタケース１０内に設置されたミラーハウジング６０内に、ミラー面を前記マイクロミラー表示素子５０の正面方向領域を挟んで前記レンズ支持筒５８の出射端と対向させるとともに、前記光源装置からの出射光の光軸に対して所定角度斜めに傾けて配置され、前記光源装置から前記カラーホイール５１により着色された出射し、前記光源側レンズ５５，５６とを透過した光を前記マイクロミラー表示素子５０に向けて反射し、その反射光を前記マイクロミラー表示素子５０にその正面方向に対して一方の方向に傾いた方向から投射するように設けられている。
【００８８】
一方、前記マイクロミラー表示素子５０の前面には、このマイクロミラー表示素子５０を保護するカバーガラス６４が配置されており、その前面側に、前記ミラーハウジング６０の後面の開口に設けられ、前記光源装置から出射し、前記光源側光学系５４によりマイクロミラー表示素子５０にその正面方向に対して一方の方向に傾いた方向から投射された光を前記マイクロミラー表示素子５０の正面方向に対して所定角度傾いた方向に沿う平行光に補正して前記マイクロミラー表示素子５０に入射させ、前記マイクロミラー表示素子５０から出射した画像光を投影レンズ６６に入射させる中継レンズ６５が配置されている。
【００８９】
この中継レンズ６５は、前記光源側光学系５４からの投射光のうち、中継レンズ面で表面反射した光を、前記投影レンズ６６による投影方向以外の方向に出射する特性を有している。
【００９０】
前記中継レンズ６５は、一方の面が凸レンズ面に形成され、他方の面が凹レンズ面に形成されたメニスカスレンズからなっており、その凸レンズ面を前記マイクロミラー表示素子５０に対向させ、凹レンズ面を前記光源側光学系５４のミラー５７と投影レンズ６６とに対向させるとともに、レンズ中心を、前記マイクロミラー表示素子５０の表示エリアの周縁のうち、前記光源側光学系５４からの投射光（ミラー５７による反射光）が入射する方向とは反対側の縁部の中心付近に対向させて配置されている。
【００９１】
そして、この中継レンズ６５の光源側光学系５４及び投影レンズ６６に対向する凹レンズ面は、前記光源側光学系５４からの投射光のうち、前記凹レンズ面で表面反射した光を、投影レンズ６６による投影方向以外の方向に出射する曲率をもった面に形成され、マイクロミラー表示素子５０に対向する凸レンズ面は、前記凹レンズ面の曲率に基いて、前記光源側光学系５４からの投射光を前記凹レンズ面と凸レンズ面とによりマイクロミラー表示素子５０の正面方向に対して所定角度傾いた方向に屈折させて前記マイクロミラー表示素子５０に入射させ、前記マイクロミラー表示素子５０からその正面方向に出射した光を前記凸レンズ面と凹レンズ面とにより屈折させて前記投影レンズ６６に入射させる曲率をもった面に形成されている。
【００９２】
なお、この中継レンズ６５の有効領域は、円形レンズのうちの前記マイクロミラー表示素子５０の表示エリアに対応する部分であり、他の部分は非有効領域であるため、この実施例では、円形レンズから前記非有効領域を切り落とした形状の中継レンズ６５を用いている。
【００９３】
また、前記投影レンズ６６は、入射側固定鏡胴６７と、この固定鏡胴６７に係合され、回転操作により軸方向に進退移動される出射側可動鏡胴６８とを備え、これらの鏡胴６７，６８内にそれぞれ複数枚のレンズ素子を組合わせて構成されたレンズ群６９，７０を設けた可変焦点レンズであり、この投影レンズ６６は、その固定鏡胴６７の基端を前記ミラーハウジング６０の前面の開口６３内に挿入し、この固定鏡胴６７の入射端を前記中継レンズ６５を介して前記マイクロミラー表示素子５０に対向させ、前記可動鏡胴６８の出射端をプロジェクタケース１０の前面の一側部に設けられた投影口２０に移動可能に嵌装して前記プロジェクタケース１０内に配置されている。
【００９４】
なお、前記プロジェクタケース１０の投影レンズ配置側の側面には、前記投影レンズ６６の可動鏡胴６８を手動により回転させて軸方向に移動させ、前記投影レンズ６６の焦点調整を行なうための開口７１が設けられている。
【００９５】
また、前記プロジェクタケース１０内には、その後面部と前記光源側ハウジング５９との間に、表示／音声系回路基板７２が立設状態で配置されており、この表示／音声系回路基板７２に、プロジェクタケース１０の後面に設けられた図示しないＵＳＢ端子、カラー画像信号と音声信号の入力端子及びビデオ信号入力端子と、前記マイクロミラー表示素子５０と、前記スピーカ用放音部１８に対向させてプロジェクタケース１０内に配置された図示しないスピーカが接続されている。
【００９６】
さらに、前記プロジェクタケース１０内の前記光源側ハウジング５９の前側のスペースには、プロジェクタケース１０の後面に設けられた図示しない電源コネクタに接続された電源系回路基板７３が水平に配置されており、この電源系回路基板７３に、前記光源装置の光源ランプ３１の一対の棒状電極３３ａ，３３ｂがリード線３６ａ，３６ｂを介して接続されるとともに、前記カラーホイール回転モータ５３が図示しないリード線を介して接続されている。
【００９７】
また、前記プロジェクタケース１０内には、その上面部と光源側ハウジング５９及びミラーハウジング６０との間に、プロジェクタ制御回路基板７４が水平に配置されており、この制御回路基板７４に、前記表示／音声系回路基板７２及び電源系回路基板７３と、プロジェクタケース１０の上面に設けられた電源キー１１、光源点灯インジケータ１２、光源過熱インジケータ１３、自動画質調整キー１４、手動画質調整キー１５及びパワー／スタンバイインジケータ１６と、開閉蓋１７を開いて操作される各種調整キーと、プロジェクタケース１０内にその前面のリモコン受信部１９に対向させて設けられた図示しないリモコン信号受信素子が接続されている。
【００９８】
さらに、前記プロジェクタケース１０は、その内部を空冷するための吸気部７５，７６，７７及び排気部８０を有している。
【００９９】
前記吸気部７５，７６，７７は、プロジェクタケース１０の底面と、前記プロジェクタケース１０の投影レンズ６６が配置された側の側面と、前記プロジェクタケース１０の後面とに設けられており、これらの吸気部７５，７６，７７はそれぞれ、前記プロジェクタケース１０に長孔からなる複数の吸気孔７５ａ，７６ａ，７７ａを密な間隔で設けて形成されている。
【０１００】
なお、前記光源側ハウジング５９と電源系回路基板７３は、プロジェクタケース１０の底面部との間に通風空間を確保して配置されており、ケース底面の吸気部７５を形成する複数の吸気孔７５ａは、前記光源側ハウジング５９及び電源系回路基板７３の下側の領域にそれぞれ密な間隔で設けられている。なお、前記電源系回路基板７３の下側の吸気部は図示していない。
【０１０１】
また、前記投影レンズ６６は、プロジェクタケース１０の側面部との間に通風空間を確保して配置されており、ケース側面の吸気部７６を形成する複数の吸気孔７６ａは、前記ケース側面の投影レンズ焦点調整用開口７１よりも後側の部分の領域にその略全域にわたって密な間隔で設けられている。
【０１０２】
さらに、前記表示／音声系回路基板７２は、プロジェクタケース１０の上面部との間に通風空間を確保して配置されており、ケース後面の吸気部７７を形成する複数の吸気孔７７ａは、前記マイクロミラー表示素子５０の配置部に対応する領域に密な間隔で設けられている。
【０１０３】
前記電源系回路基板７３の下側の領域に設けられた図示しないケース底面の吸気部と、ケース側面の吸気部７６はそれぞれ自然吸気部、前記光源側ハウジング５９の下側の領域に設けられたケース底面の吸気部７５と、ケース後面のマイクロミラー表示素子５０の配置部に対応する領域に設けられた吸気部７７は強制吸気部であり、前記プロジェクタケース１０内には、これらの強制吸気部７５，７７にそれぞれ対向させて吸気ファン７８，７９が配置されている。
【０１０４】
一方、前記排気部８０は、密な間隔で設けられた複数の排気孔８０ａからなっており、この排気部８０は、前記プロジェクタケース１０の光源装置が配置された側の側面にその略全体にわたって設けられている。
【０１０５】
なお、この実施例では、複数の排気孔８０ａをプロジェクタケース１０とは別体の排気パネル８１に設け、この排気パネル８１を前記プロジェクタケース１０の側面に設けた開口に嵌込んでいる。
【０１０６】
前記複数の排気孔８０ａは長孔からなっており、これらの排気孔８０ａの周面及びその両側縁と排気パネル８１の内面及び外面との境界部は、排気流方向に対して垂直またはそれに近い角度の面の無い形状に形成されている。
【０１０７】
この実施例では、前記排気部８０を形成する複数の排気孔８０ａの孔間部分の断面形状を、排気流方向に沿った流線形形状、例えば排気パネル８１の厚さ方向の対角線長が前記排気パネル８１の板面と平行な方向の対角線長よりも大きい横長の菱形形状にすることにより、複数の排気孔８０ａの周面を、その奥行き方向（排気パネル８１の厚さ方向）の中央部から前記排気パネル８１の内面及び外面に向かって孔幅が大きくなる方向に傾斜する流線面状に形成し、前記排気孔８０ａの周面及びその両側縁と前記孔間部分の内外面（排気パネル８１の内外面）との境界部を、排気流方向に対して垂直またはそれに近い角度の面の無い形状にしている。
【０１０８】
前記排気部８０は強制排気部であり、前記プロジェクタケース１０内には、前記排気部８０の略全域、つまりプロジェクタケース１０の光源装置が配置された側の側面の略全域に対応させて、複数台、例えば３台の大風力排気ファン８２，８３，８４が配置されている。
【０１０９】
そして、前記プロジェクタケース１０内に前記強制吸気部７５，７７にそれぞれ対向させて配置された吸気ファン７８，７９と、前記排気部８０に対応させて配置された排気ファン８２，８３，８４は、前記電源系回路基板５２に接続されている。
【０１１０】
このプロジェクタは、投影レンズカバー２１を開いて投影レンズ６６の出射端を露出させた状態で使用されるものであり、その状態で電源キー１１をオンさせると、前記吸気ファン７８，７９及び排気ファン８２，８３，８４が駆動され、プロジェクタケース１０内の空冷が開始され、その後に、光源装置の光源ランプ３１が点灯され、カラーホイール５１が高速で回転駆動されて、マイクロミラー表示素子５０に赤、緑、青の光が順次投射され、前記マイクロミラー表示素子５０から順次出射する赤、緑、青の光が投影レンズ６６により外部スクリーン等の投影面に投影される。
【０１１１】
なお、前記投影レンズ６６による投影方向を投影面に合わせるプロジェクタケース１０の姿勢調整は、前記赤、緑、青の光を投影レンズ６６により投影させた状態で前足部材２３ｂの突出高さを調整することにより行なわれる。
【０１１２】
このプロジェクタは、前記光源装置からカラーホイール５１により赤、緑、青の３色に順次着色され、導光ロッド４９により強度分布を均一にされて出射した光を、前記光源側光学系５４によりマイクロミラー表示素子５０に向けて投射するとともに、前記赤、緑、青の光の投射周期に同期させて前記マイクロミラー表示素子５０に赤、緑、青の単色画像データを順次書込むことにより、前記マイクロミラー表示素子５０に赤、緑、青の単色画像を順次表示させ、前記マイクロミラー表示素子５０から順次出射する赤、緑、青の単色画像光を、投影レンズ６６により拡大して投影面に投影するものであり、前記投影面に、赤、緑、青の３色の単色画像が重なって見えるフルカラー画像を表示する。
【０１１３】
なお、パソコンからの画像信号またはビデオ信号が入力されないときは、前記マイクロミラー表示素子５０の表示エリア全体から赤、緑、青の光が順次出射し、その光が投影レンズ６６により投影される。そのため、このときの投影面の投影領域はその全体にわたって白である。
【０１１４】
そして、前記画像信号またはビデオ信号が入力されると、前記マイクロミラー表示素子５０に赤、緑、青の単色画像データが順次書込まれ、前記投影面に赤、緑、青の３色の単色画像が順次投影されてフルカラー画像が表示される。
【０１１５】
このプロジェクタにおいて、前記光源装置からカラーホイール５１により赤、緑、青の３色に順次着色出射されて出射した光は、前記光源側光学系５４の光源側レンズ５５，５６及びミラー５７により、マイクロミラー表示素子５０に、その正面方向に対して一方の方向に傾いた方向から向けて投射され、中継レンズ６５により前記マイクロミラー表示素子５０の正面方向に対して所定角度傾いた方向に沿う平行光に補正されて前記マイクロミラー表示素子５０に入射する。
【０１１６】
なお、前記光源装置の導光ロッド４９は、前記マイクロミラー表示素子５０の表示エリアと相似な断面形状を有しており、したがって、前記光源装置から出射し、前記光源側光学系５４によりマイクロミラー表示素子５０に向けて投射された赤、緑、青の着色光は、前記マイクロミラー表示素子５０の表示エリアの全域に均一な強度で入射する。
【０１１７】
一方、前記マイクロミラー表示素子５０は、前記赤、緑、青の着色光の投射周期に同期させて赤、緑、青の単色画像データを順次書込まれ、赤、緑、青の単色画像を順次表示する。
【０１１８】
そして、前記マイクロミラー表示素子５０から順次出射した赤、緑、青の単色画像光は、前記中継レンズ６５により集光されて投影レンズ６６に入射し、この投影レンズ６６により拡大されて投影面に投影される。
【０１１９】
なお、このプロジェクタでは、前記中継レンズ６５に、マイクロミラー表示素子５０に対向する面が凸レンズ面に形成され、前記光源側光学系５４及び投影レンズ６６に対向する面が凹レンズ面に形成されたメニスカスレンズを用いているため、前記光源側光学系５４からの投射光を前記マイクロミラー表示素子５０の正面方向に対して所定角度傾いた方向に沿う平行光に補正して前記マイクロミラー表示素子５０に入射させ、このマイクロミラー表示素子５０から出射した画像光を前記投影レンズ６６に入射させるとともに、前記光源側光学系５４からの投射光のうち、前記中継レンズ６５の光源側光学系５４及び投影レンズ６６に対向する凹面で表面反射した光を、前記投影レンズ６６による画像光の投影方向以外の方向に出射することができ、したがって、前記中継レンズ６５の光源側光学系５４及び投影レンズ６６に対向する凹レンズ面で表面反射した光が前記投影レンズ６６により投影面に投影されることは無く、したがって、前記投影面に、輝度むらやコントラスト低下の無い高品質の投影画像を表示することができる。
【０１２０】
また、プロジェクタケース１０内の空冷は、ケース内空気を、前記プロジェクタケース１０の光源装置が配置された側の側面にその略全体にわたって設けられた排気部８０から前記大風力排気ファン８２，８３，８４により強制排気し、光源側ハウジング５９の下側の領域に設けられたケース底面の吸気部７５とケース後面のマイクロミラー表示素子５０の配置部に対応する領域に設けられた吸気部７７から外気を吸気ファン７８，７９によりケース１０内に強制吸気し、さらに電源系回路基板７３の下側の領域に設けられた図示しないケース底面の吸気部とケース側面の吸気部７６から、前記排気部８０からのケース内空気の排気にともなう自然吸気によって外気をケース内に吸気して、前記各吸気部７５，７６，７７から吸気した冷却空気を図３及び図４に破線矢印で示したようにプロジェクタケース１０に通風させることにより行なわれる。
【０１２１】
また、プロジェクタケース１０内を流れる冷却空気は、前記光源装置のリフレクタ２７にその開放面の前方の領域を囲んで設けられた筒状カバー４７の出射方向補正手段３８よりもリフレクタ２７側の部分に設けられた一対の通風孔４８ａ，４８ｂの一方４８ａからリフレクタ２７内に流入して他方の通風孔４８ｂからプロジェクタケース１０内に流出し、その空気により前記リフレクタ２７内が空冷される。
【０１２２】
また、画像投影の終了後は、前記画像信号またはビデオ信号の入力を停止し、次いで電源キー１１をオフさせればよく、前記電源キー１１をオフさせると、光源装置の光源ランプ３１が消灯し、カラーホイール５１の回転駆動が停止されるとともに、それから一定時間後、例えば光源装置の光源部２６の温度が一定温度以下になったときに、吸気ファン７８，７９及び排気ファン８２，８３，８４が停止される。
【０１２３】
そして、前記投影レンズカバー２１は、前記吸気ファン７８，７９及び排気ファン８２，８３，８４の駆動が停止された後に図２のように閉じられる。
【０１２４】
なお、前記画像信号またはビデオ信号の入力を停止して画像投影を終了すると、投影面の投影領域全体が上述したように白になるため、前記電源キー１１をオフさせずに投影レンズカバー２１を閉じてしまうことがあり、その場合は、光源ランプ３１の点灯と、カラーホイール５１と吸気ファン７８，７９及び排気ファン８２，８３，８４の駆動が継続されて無駄に電力を消費してしまう。
【０１２５】
しかし、このプロジェクタでは、前記投影レンズカバー２１の中央部に開口を形成し、その開口に半透明板２２を設けているため、電源キー１１をオフさせずに投影レンズカバー２１を閉じてしまったときは、前記半透明板２２が投影レンズ６６からの出射光を受けて光って見える。そのため、使用者に電源の切り忘れを気付かせることができる。
【０１２６】
また、このプロジェクタは、上述したように、前記排気部８０を形成する複数の排気孔８０ａの周面を流線面状に形成し、前記排気孔８０ａの周面及びその両側縁と前記孔間部分の内外面との境界部を、排気流方向に対して垂直またはそれに近い角度の面の無い形状にしているため、前記排気孔８０ａからの排気流に渦が生じるのを防ぎ、プロジェクタケース１０内を効果的に空冷するとともに、前記排気部８０での風切り音の発生を低減することができる。
【０１２７】
上記プロジェクタは、プロジェクタケース１０内に、一端に光を出射させる開放面２８を有し、内面に前記開放面２８に対して他端側に凹入する反射面２９が形成されるとともに、他端の中心部にランプアクセス孔３０が設けられたリフレクタ２７内に、光源ランプ３１をその発光部３１ａを前記リフレクタ２７の中心線Ｏ上に位置させて配置した光源部２６を備え、前記リフレクタ２７の反射面２９を、前記光源ランプ３１の発光部３１ａの中心からリフレクタ中心線Ｏを含む面に沿って前記中心線Ｏよりも一方の側に出射した光を、前記中心線Ｏに対して前記一方の側とは反対側にずれた位置に集光する方向に反射する曲率をもった曲線の前記中心線回りの回転面に形成するとともに、前記リフレクタ２７の開放面２８に対向させて、前記光源ランプ３１の発光部３１ａから出射し、前記リフレクタ２７の反射面２９により反射されて前記リフレクタ２７の開放面２８から出射した光を、前記リフレクタ中心線Ｏ上に集光する方向に屈折させて出射する出射方向補正手段３８を配置した光源装置と、入射光の出射を制御して画像を表示するマイクロミラー表示素子５０と、前記光源装置からの出射光を前記マイクロミラー表示素子５０に入射させる光源側光学系５４と、前記マイクロミラー表示素子５０からの出射光を前記プロジェクタケース１０外に投影する投影レンズ６６とを配置したものであるため、前記光源装置から充分な正面輝度の光を出射させてその光を前記マイクロミラー表示素子５０に入射させることができ、したがって、前記マイクロミラー表示素子５０に高輝度の画像を表示させ、充分な明るさの画像を投影することができる。
【０１２８】
しかも、このプロジェクタは、前記光源装置を、前記出射方向補正手段３８の出射側に、棒状または筒状部材からなり、一端の入射端面４９ａから入射した光を導いて他端の出射端面４９ｂから出射する導光ロッド４９を、その中心軸をリフレクタ中心線に一致させるとともに前記入射端面４９ａを前記リフレクタ２７の開放面２８に対向させて配置し、前記リフレクタ２７の反射面２９を、前記光源ランプ３１の発光部３１ａの中心から前記リフレクタ中心線Ｏを含む面に沿って前記中心線Ｏよりも一方の側に出射した光を、前記導光ロッド４９の入射端面４９ａの中心よりも前記一方の側とは反対側にずれた位置に集光する方向に反射する曲率をもった曲線の前記中心線回りの回転面に形成し、前記出射方向補正手段３８に、前記光源ランプ３１の発光部３１ａの中心から出射し、前記リフレクタ２７の反射面２９により反射されて前記リフレクタ２７の開放面２８から出射した光を、前記導光ロッド４９の入射端面４９ａの中心付近に集光する方向に屈折させて出射する特性をもたせた構成としているため、前記光源装置から正面輝度が充分で且つ輝度分布の均一な光を出射させてその光を前記マイクロミラー表示素子５０に入射させ、前記マイクロミラー表示素子５０に高輝度でしかも輝度ムラの無い画像を表示させてその画像を投影することができる。
【０１２９】
また、上記実施例のプロジェクタは、前記光源装置のリフレクタ２７に、その開放面２８の前方の領域を囲む筒状カバー４７を設け、この筒状カバー４７内に、前記出射方向補正手段３８をその周縁を前記筒状カバー４７に支持させて配置しているため、前記光源装置の光源ランプ３１が万一爆発したときのプロジェクタケース１０内へのランプ破片の飛散を前記筒状カバー４７及び出射方向補正手段３８により防止し、プロジェクタケース１０内に配置された他の機器類を保護することができる。
【０１３０】
さらに、上記実施例のプロジェクタにおいては、プロジェクタケース１０にその内部を空冷するための吸気部７５，７６，７７及び排気部８０を設け、前記プロジェクタケース１０内に給排気用のファン７８，７９，８２，８３，８４を配置するとともに、前記光源装置の筒状カバー４７の出射方向補正手段３８よりもリフレクタ２７側の部分に、リフレクタ２７外の空気を前記リフレクタ２７内に流すための通風孔４８ａ，４８ｂを設けているため、前記リフレクタ２７内の空間及び光源ランプ３１を、前記プロジェクタケース１０内の空冷用空気を利用して空冷することができる。
【０１３１】
そして、上記実施例では、前記光源装置の出射方向補正手段３８を、一方の面に円錐状凹レンズ面４０が形成された片円錐面レンズ３９としているため、前記リフレクタ２７の開放面２８から出射した光をリフレクタ中心線Ｏ上に集光する方向に屈折させて、充分な正面輝度の光を出射するとともに、前記リフレクタ２７の開放面２８から出射した光のうち、前記出射方向補正手段３８により反射されてリフレクタ２７内に戻った光による光源ランプ３１の昇温を低くし、前記光源ランプ３１の過熱を抑制することができ、したがって、前記プロジェクタケース１０内の空冷用空気を利用する前記リフレクタ２７内の空間及び光源ランプ３１の空冷との相乗効果により、前記光源装置の光源部２６の昇温をより効果的に抑制することができる。
【０１３２】
なお、上記実施例では、光源装置に出射方向補正手段３８として設けた片円錐面レンズ３９を、その平坦面をリフレクタ２７の開放面２８に対向させて配置しているが、前記片円錐面レンズ３９は、上記実施例とは逆に、円錐状凹レンズ面４０を前記リフレクタ２７の開放面２８に対向させて配置してもよく、その場合でも、前記リフレクタ２７の開放面２８から出射した光をリフレクタ中心線Ｏ上に集光する方向に屈折させて、充分な正面輝度の光を出射するとともに、前記リフレクタ２７の開放面２８から出射した光のうち、前記片円錐面レンズ３９により反射されて前記リフレクタ２７内に戻った光による光源ランプ３１の昇温を低くし、前記光源ランプ３１の過熱を抑制することができる。
【０１３３】
また、上記実施例では、光源装置の出射方向補正手段３８として、入出射面のいずれか一方の面に円錐面からなる円錐状凹レンズ面４０が形成された片円錐面レンズ３９を用いているが、出射方向補正手段３８は、図１１に示したような、入出射面のいずれか一方の面にサーキュラフレネルレンズからなる円錐状凹レンズ面４０ａが形成された片円錐面レンズ３９ａとしてもよい。
【０１３４】
さらに、出射方向補正手段３８は、図１２（ａ）に示したような、入出射面のいずれか一方の面に円錐面からなる円錐状凹レンズ面４２が形成され、他方の面に前記一方の面の円錐状凹レンズ面４２とは頂角が異なる円錐面からなる円錐状凹レンズ面４３が形成された両円錐面レンズ４１か、あるいは、図１２（ｂ）に示したような、入出射面のいずれか一方の面にサーキュラフレネルレンズからなる円錐状凹レンズ面４２ａが形成され、他方の面に前記一方の面の円錐状凹レンズ面４２ａとは頂角が異なるサーキュラフレネルレンズからなる円錐状凹レンズ面４３ａが形成された両円錐面レンズ４１ａとしてもよい。
【０１３５】
この両円錐面レンズ４１，４１ａは、一方の面の円錐状凹レンズ面４２，４２ａの頂角と他方の面の円錐状凹レンズ面４３，４３ａの頂角が異なるため、前記リフレクタ２７の開放面から出射した光をリフレクタ中心線上に集光する方向に屈折させて、充分な正面輝度の光を出射することができる。
【０１３６】
そして、この両円錐面レンズ４１，４１ａは、一方の面と他方の面がそれぞれ円錐状凹レンズ面４２，４３または４２ａ，４３ａであるため、前記リフレクタ２７の開放面２８から出射して前記両円錐面レンズ４１または４１ａの入射面及び出射面で反射された戻り光の両方が光源ランプ３１からずれた位置に集光する。
【０１３７】
したがって、出射方向補正手段３８に前記両円錐面レンズ４１または４１ａを用いることにより、出射方向補正手段３８により反射されてリフレクタ２７内に戻った光による光源ランプ３１の昇温をほとんど無くし、前記光源ランプ３１の過熱をより効果的に抑制することができる。
【０１３８】
また、出射方向補正手段３８は、図１３（ａ）に示したような、入出射面のいずれか一方の面に円錐面からなる円錐状凹レンズ面４５が形成され、他方の面に前記一方の面の円錐状凹レンズ面４５よりも頂角が大きい円錐面からなる円錐状凸レンズ面４６が形成された円錐面メニスカスレンズ４４か、あるいは、図１３（ｂ）に示したような、入出射面のいずれか一方の面にサーキュラフレネルレンズからなる円錐状凹レンズ面４５ａが形成され、他方の面に前記一方の面の円錐状凹レンズ面４５ａよりも頂角が大きいサーキュラフレネルレンズからなる円錐状凸レンズ面４６ａが形成された円錐面メニスカスレンズ４４ａとしてもよい。
【０１３９】
この円錐面メニスカスレンズ４４，４４ａは、一方の面を円錐状凹レンズ面４５，４５ａに形成し、他方の面を前記一方の面の円錐状凹レンズ面４５，４５ａよりも頂角が大きい円錐状凸レンズ面４６，４６ａに形成したものであるため、その両面の偏角差が小さく、したがって、前記リフレクタ２７の開放面２８から出射した光を小さい偏角差でリフレクタ中心線上に集光する方向に屈折させて、正面輝度が充分で且つ収差の小さい光を出射することができる。
【０１４０】
そして、円錐面メニスカスレンズ４４，４４ａは、一方の面が円錐状凹レンズ面４５，４５ａで他方の面が円錐状凸レンズ面４６，４６ａであるため、前記リフレクタ２７の開放面２８から出射して前記円錐面メニスカスレンズ４４または４４ａの入射面及び出射面で反射された戻り光の両方が光源ランプ３１からずれた位置に集光する。
【０１４１】
したがって、出射方向補正手段３８に前記円錐面メニスカスレンズ４４または４４ａを用いることにより、出射方向補正手段３８により反射されてリフレクタ２７内に戻った光による光源ランプ３１の昇温をほとんど無くし、前記光源ランプ３１の過熱をより効果的に抑制することができる。
【０１４２】
また、上記実施例のプロジェクタでは、カラーホイール５１を、光源装置の導光ロッド４９の入射側に配置しているが、前記カラーホイール５１は、光源装置の光源部２６から前記投影レンズ６６の入射端までの光路内であれば、他の位置に配置してもよい。
【０１４３】
さらに、上記実施例のプロジェクタは、表示素子にマイクロミラー表示素子５０を用いたものであるが、表示素子は、入射光の出射を制御して画像を表示するものであれば、例えば後面側に反射膜を備えた反射型液晶表示素子でも、また後面側から入射した光の前面側への出射を制御して表示する透過型液晶表示素子でもよく、反射型液晶表示素子を用いる場合は、その正面方向に対して一方の方向に傾いた入射方向から入射し、液晶層を透過して前記反射膜により反射された光を、プリズムシート等により屈折させて正面方向に出射する構成とし、透過型液晶表示素子を用いる場合は、光源装置の配置位置と光源側光学系５４の構成を、前記透過型液晶表示素子にその後面から光を投射するように変更すればよい。
【０１４４】
また、表示素子に液晶表示素子を用いる場合、その液晶表示素子は、複数の画素にそれぞれ対応する複数の色、例えば赤、緑、青の３色のカラーフィルタを備えたカラー表示素子でもよく、このカラー表示素子を用いる場合は、前記カラーホイール５１を省略し、非着色光を前記カラー表示素子に投射すればよい。
【図面の簡単な説明】
【０１４５】
【図１】この発明の一実施例を示すプロジェクタの使用状態の外観斜視図。
【図２】前記プロジェクタの不使用状態の外観斜視図。
【図３】前記プロジェクタの横断平面図。
【図４】図３のIV―IV線に沿う断面図。
【図５】前記プロジェクタに用いた光源装置の断面図。
【図６】前記光源装置のリフレクタの反射面のリフレクタ中心線に沿う断面形状を示す模式図。
【図７】前記光源装置の出射経路図。
【図８】前記光源装置と従来の光源装置の導光ロッドの出射端面の中心から出射した光の光軸方向に沿った断面上の輝度分布を示す図。
【図９】前記光源装置のリフレクタの開放面から出射した光のうちの出射方向補正手段の入射面で反射された戻り光の経路図。
【図１０】前記光源装置のリフレクタの開放面から出射した光のうちの出射方向補正手段の出射面で反射された戻り光の経路図。
【図１１】光源装置の他の出射方向補正手段を示す断面図。
【図１２】光源装置の他の出射方向補正手段を示す断面図。
【図１３】光源装置の他の出射方向補正手段を示す断面図。
【図１４】従来の光源装置の出射経路図。
【符号の説明】
【０１４６】
１…プロジェクタケース、２６…光源部、２７…リフレクタ、２８…開放面、２９…反射面、３０…ランプアクセス孔、３１…光源ランプ、３１ａ…発光部、Ｐａ…発光部の中心、Ｏ…リフレクタ中心線、３８…出射方向補正手段、３９，３９ａ…片円錐面レンズ、４０，４０ａ…円錐状凹レンズ面、４１，４１ａ…両円錐面レンズ、４２，４２ａ，４３，４３ａ…円錐状凹レンズ面、４４，４４ａ…円錐面メニスカスレンズ、４５，４５ａ…円錐状凹レンズ面、４６，４６ａ…円錐状凸レンズ面、４７…筒状カバー、４８ａ，４８ｂ…通風孔、４９…導光ロッド、４９ａ…入射端面、４９ｂ…出射端面、５０…マイクロミラー表示素子、５１…カラーホイール、５４…光源側光学系、５５，５６…光源側レンズ、５７…ミラー、６４…カバーガラス、６５…中継レンズ、６６…投影レンズ、７５，７６，７７…吸気部、７８，７９…吸気ファン、８０…排気部、８２，８３，８４…排気ファン。
【図１】
0004622285.tif 000002
【図２】
0004622285.tif 000003
【図３】
0004622285.tif 000004
【図４】
0004622285.tif 000005
【図５】
0004622285.tif 000006
【図６】
0004622285.tif 000007
【図７】
0004622285.tif 000008
【図８】
0004622285.tif 000009
【図９】
0004622285.tif 000010
【図１０】
0004622285.tif 000011
【図１１】
0004622285.tif 000012
【図１２】
0004622285.tif 000013
【図１３】
0004622285.tif 000014
【図１４】
0004622285.tif 000015